(57)【要約】【課題】証紙を貼着するための貼着部材を取り外す際の作業性をさらに向上させると共に、簡易な構成で貼着部材の取り外しにかかる安全性を向上させた遊技機を提供する。【解決手段】板形状をなしてシール３００を貼着したシール貼着部材２００を着脱可能に取り付けるためのシール貼着部材取付部１００の構成を、開口部１００ａ、窓部１７、壁部１０１ｂ，１０１ｃ及び底面部１０１ａを有し、開口部１００ａから窓部１７、壁部１０１ｂ，１０１ｃ及び底面部１０１ａによって形成される空間内に、壁部１０１ｂ，１０１ｃに沿ってシール貼着部材２００をスライドさせて、シール貼着部材２００の下端部２０１ａが底面部１０１ａに位置決めされた状態で、シール貼着部材２００に貼着されたシール３００が、機前面に設けられた窓部１７を介して視認可能となるように配置されるようにした。【選択図】図４
2007135917.tif 000002
【特許請求の範囲】
【請求項１】
板形状をなし、遊技機に関する所定内容が記載されたシールを貼着するシール貼着部材と、
該シール貼着部材を着脱可能に取り付けるためのシール貼着部材取付部とを備えた遊技機であって、
前記シール貼着部材取付部は、開口部、窓部、壁部及び底面部を有し、
前記開口部から前記窓部、壁部及び底面部によって形成される空間内に、前記壁部に沿って前記シール貼着部材をスライドさせて、前記シール貼着部材の下端部が前記底面部に位置決めされた状態で、前記シール貼着部材に貼着されたシールが、機前面に設けられた前記窓部を介して視認可能となるように配置されたことを特徴とする遊技機。
【請求項２】
板形状をなし、遊技機に関する所定内容が記載されたシールを貼着するシール貼着部材と、
該シール貼着部材を着脱可能に取り付けるためのシール貼着部材取付部とを備えた遊技機であって、
前記シール貼着部材取付部は、
前記シール貼着部材の前方向の動きを制限し、前記シール貼着部材に貼着されたシールを機前面から視認可能とする窓部と、
該窓部と共に前記シール貼着部材を位置決めし、動きを制限する複数の壁部と、
前記窓部及び前記壁部によって形成された空間内に前記シール貼着部材を挿抜するための開口部と、
を有することを特徴とする遊技機。
【請求項３】
前記シール貼着部材を挿抜する際に、当該シール貼着部材を把持するための把持部が設けられたことを特徴とする請求項１又は２に記載の遊技機。
【請求項４】
前記空間へのシール貼着部材の挿抜を促すガイド部が前記壁部に設けられたことを特徴とする請求項１又は２に記載の遊技機。
【請求項５】
前記壁部は、前記底面部に接続され、前記窓部に対向する後壁部と、前記底面部、窓部及び後壁部に接続され、前記シール貼着部材の左右方向の動きを制限する側壁部と、を有することを特徴とする請求項１に記載の遊技機。
【請求項６】
前記ガイド部は、前記空間内で前記シール貼着部材を前後方向に保持する形状をなしていることを特徴とする請求項４に記載の遊技機。
【請求項７】
前記開口部が、前記後壁部又は側壁部に設けられたことを特徴とする請求項５に記載の遊技機。
【発明の詳細な説明】
【技術分野】
【０００１】
本発明は、パチンコ機等の遊技機に関するものであり、特に、遊技機に関する情報を記載した証紙などのシールの設置が必要な遊技機に関するものである。
【背景技術】
【０００２】
従来より、組み立て作業を経て完成した遊技機には、製造番号、製造業者名、遊技機名及び所属団体などの所定内容を表示した証紙（シール）を貼る必要がある。
【０００３】
そこで、証紙を貼り違えてしまった場合などにおいては、その証紙を綺麗に剥離し、新しい証紙を貼り替えなければならない。
【０００４】
しかしこの証紙は、第三者が容易に剥離することができないように、粘着性の高い接着剤などを用いてしっかり貼られるべきものであるので、間違った証紙（異なる遊技機に関する所定内容を記載した証紙）を機体に直接貼着した場合、証紙の貼り替え作業が極めて面倒となり、作業効率の悪化を招いていたという課題があった。
【０００５】
このような課題を解決するために、上述の証紙に対応するラベルを貼着するラベル貼着部材を着脱自在に取り付けるためのラベル貼着部材取付部が設けられた遊技機が提案されている（例えば、特許文献１参照。）。
【０００６】
この遊技機によれば、ラベル貼着部材取付部には、上面にラベル貼着部材の係合爪が係合される係合凹部が形成されていると共に、ラベル貼着部材の下端を受支する上向きの略Ｌ字形状の支持片が形成されている。
【０００７】
このラベル貼着部材を取り付ける際には、ラベル貼着部材の下端を支持片に係合させ、ラベル貼着部材の下端を前記支持片に保持させたまま、ラベル貼着部材の上端をラベル貼着部材取付部に押し込むことによって、係合爪を係合凹部に係合させる。また、取り外す際には、係合爪を変形させて、係合凹部と係合爪との係合を解除させて、ラベル貼着部材の下端を前記支持片に保持させた状態にして分離する。
【０００８】
このような構成をなすことによって、証紙を貼り間違えてしまった場合であっても、ラベル貼着部材を移し替えるだけで済むので、証紙を遊技機本体に直接貼着する従来の構成に比べ、作業効率の向上が期待できるとされている。
【０００９】
【特許文献１】特開２００３−２２５３５４号公報
【発明の開示】
【発明が解決しようとする課題】
【００１０】
しかしながら、上記特許文献１では、ラベル貼着部材を取り付ける際には、下端を支持片に係合させ、上端を押し込むだけでよいが、取り外す際には、係合爪が小さいため、変形させる際に指先又は爪によって係合爪を変形させなければならず、細かい作業なので、作業者に煩わしさを与え、作業性を低下させていた。また、その際に余計な力を加えてしまった場合、前記係合爪を破損させてしまう危険性があった。
【００１１】
本発明は、以上の問題点に鑑みてなされたものであって、その目的は、証紙を貼着するための貼着部材を取り外す際の作業を簡素化し、その作業効率を向上させると共に、前記貼着部材の取り外しにかかる安全性をも向上させることを目的とする。
【課題を解決するための手段】
【００１２】
上記課題を解決するための、請求項１記載の発明に係る遊技機は、板形状をなし、遊技機に関する所定内容が記載されたシールを貼着するシール貼着部材と、該シール貼着部材を着脱可能に取り付けるためのシール貼着部材取付部とを備えた遊技機であって、前記シール貼着部材取付部は、開口部、窓部、壁部及び底面部を有し、前記開口部から前記窓部、壁部及び底面部によって形成される空間内に、前記壁部に沿って前記シール貼着部材をスライドさせて、前記シール貼着部材の下端部が前記底面部に位置決めされた状態で、前記シール貼着部材に貼着されたシールが、機前面に設けられた前記窓部を介して視認可能となるように配置されたことを特徴とする。
【００１３】
かかる構成とすることにより、スライド動作によって前記空間内に前記シール貼着部材を挿抜し、前記底面部によって前記シール貼着部材の位置決めがなされるので、係合構造などの複雑な構造を採用することなく、簡単な構成で取り外しにかかる作業性を向上させることができる。また、シール貼着部材の設置にあたり、機械的強度（破損）を考慮しなければならない部材を使用しない構成としたので、前記貼着部材の取り外しにかかる安全性をも向上させることができる。さらに、シール貼着部材の構造が、係合爪などを設けることなく簡易な構造としたので、それを製造するための金型も複雑な構造とならず、コスト削減を実現することができる。
【００１４】
上記課題を解決するための、請求項２記載の発明に係る遊技機は、板形状をなし、遊技機に関する所定内容が記載されたシールを貼着するシール貼着部材と、該シール貼着部材を着脱可能に取り付けるためのシール貼着部材取付部とを備えた遊技機であって、前記シール貼着部材取付部は、前記シール貼着部材の前方向の動きを制限し、前記シール貼着部材に貼着されたシールを機前面から視認可能とする窓部と、該窓部と共に前記シール貼着部材を位置決めし、動きを制限する複数の壁部と、前記窓部及び前記壁部によって形成された空間内に前記シール貼着部材を挿抜するための開口部と、を有することを特徴とする。
【００１５】
かかる構成のように、前記窓部と前記壁部とによって形成された空間内に前記シール貼着部材を収納して前記窓部から前記シールを視認するようにしたので、係合構造などの複雑な構造を採用することなく、簡単な構成で取り外しにかかる作業性を向上させることができる。また、シール貼着部材の設置にあたり、機械的強度（破損）を考慮しなければならない部材を使用しない構成としたので、前記貼着部材の取り外しにかかる安全性をも向上させることができる。さらに、シール貼着部材の構造が、係合爪などを設けることなく簡易な構造としたので、それを製造するための金型も複雑な構造とならず、コスト削減を実現することができる。
【００１６】
上記課題を解決するための、請求項３記載の発明に係る遊技機は、請求項１又は２に記載の遊技機において、前記シール貼着部材を挿抜する際に、当該シール貼着部材を把持するための把持部が設けられたことを特徴とする。
【００１７】
かかる構成のように、把持部が設けられることにより、シール貼着部材の挿抜がしやすくなる。ここで、前記把持部の構造は、突出構造をなしてもよいし、凹構造をなしてもよい。
【００１８】
上記課題を解決するための、請求項４記載の発明に係る遊技機は、請求項１又は２に記載の遊技機において、前記空間へのシール貼着部材の挿抜を促すガイド部が前記壁部に設けられたことを特徴とする。
【００１９】
かかる構成とすることにより、前記ガイド部が、シール貼着部材自体をできるだけ変形させずに前記空間内に前記シール貼着部材を誘導させることができる。
【００２０】
上記課題を解決するための、請求項５記載の発明に係る遊技機は、請求項１に記載の遊技機において、前記壁部は、前記底面部に接続され、前記窓部に対向する後壁部と、前記底面部、窓部及び後壁部に接続され、前記シール貼着部材の左右方向の動きを制限する側壁部と、を有することを特徴とする。
【００２１】
このように、少なくとも前記後壁部と前記側壁部とによって前記壁部が構成されることで、前記窓部及び前記底面部と共に、前記シール貼着部材の動きを制限することができる。
【００２２】
上記課題を解決するための、請求項６記載の発明に係る遊技機は、請求項４に記載の遊技機において、前記ガイド部は、前記空間内で前記シール貼着部材を前後方向に保持する形状をなしていることを特徴とする。
【００２３】
かかる構成とすることにより、前記シール貼着部材が前記空間内において確実に保持されることとなる。
【００２４】
上記課題を解決するための、請求項７記載の発明に係る遊技機は、請求項５に記載の遊技機において、前記開口部が、前記後壁部又は側壁部に設けられたことを特徴とする。
【発明の効果】
【００２５】
本発明によれば、証紙を貼着するための貼着部材を取り外す際の作業を簡素化し、その作業効率に向上させると共に、前記貼着部材の取り外しにかかる安全性をも向上させることができる。
【発明を実施するための最良の形態】
【００２６】
次に、本発明に係る遊技機につき、好適な実施形態を挙げて、図面を参照しながら、以下詳細に説明する。
【００２７】
なお、本実施形態では、遊技機として、パチンコ球を遊技媒体として使用し、スロット遊技を提供する一般的なパロット機を例にして説明する。本実施の形態における遊技機は、基本的な遊技内容については、いわゆるスロットマシンと似通った性質を具備するものである。但し、遊技に際しては所定数の遊技媒体としての遊技球（例えばパチンコ機と同様の遊技球：パチンコ球）を必要とし、所定条件が成立した場合には複数の遊技球、場合によっては大量の遊技球が払い出されるよう構成されている。
【００２８】
また、以下の説明において、上・下、前・後及び左・右とは、図１に示すように遊技機１を正面から見た状態で指称するものとする。
【００２９】
（全体の構成）
図１は、本実施形態における遊技機の構成を示す正面図である。図１に示すように、遊技機１は、本体枠としての外枠１０と、外枠１０の前部に設けられ、外枠１０の一方の側部に設けられたヒンジ部１２によって開閉可能に支持された前枠部１１及び内枠（図示せず）とを備えている。このように、本実施形態では、基本的には外枠１０、前枠部１１及び内枠により遊技機本体が構成されている。
【００３０】
ヒンジ部１２は、外枠１０、前枠部１１及び内枠の一方（本実施形態では左側）の側部の上下に設けられており、これによって外枠１０に対して前枠部１１が開閉可能に連結されている。従って、これらヒンジ部１２，１２を軸にして外枠１０に対して前枠部１１を回動させることによって、当該前枠部１１及び内枠の開放及び閉成が行われる。
【００３１】
外枠１０は、木製の板材を四辺に連結し構成されるものであって、全体として矩形状をなす。また、内枠には図柄合わせゲームの対象となるリールを具備したリールユニットや、払出装置、各種制御基板等が搭載されるようになっている。従って、前枠部１１が開放されることにより、内枠に収納された各種機構（リールユニット等）が前方に露出されると共に、前枠部１１の裏側も操作可能となるように構成されている。
【００３２】
前枠部１１の前面は、遊技機全体として一体的な外観をなすよう連続的な立体形状にて形成されており、外枠１０に内設された前記リール（図示せず）を視認するリール視認窓１３と、遊技者が遊技時に操作する部品を設置した操作部１４と、遊技球を貯留する球受け皿１５と、球受け皿１５からオーバーフローした遊技球を貯留する下皿１６と、操作部１４と下皿１６との間に配設され、透明なプラスチック板からなり、後方に配設されたシール貼着部材（後述）も貼着されたシールを視認可能とした窓部１７とを有している。なお、球受け皿１５は、前枠部１１の前方に膨出したカバー部材１５０によって外形が構成されており、そのカバー部材１５０の前面及び上面に操作部１４が構成されている。
【００３３】
また、前枠部１１の前面右側には、当該前枠部１１及び内枠を外枠１０から開放及び閉成する際に、外枠１０に対して前枠部１１及び内枠を解錠及び施錠固定する施錠部２０が設けられている。
【００３４】
（操作部１４の構成）
操作部１４には、レバー１４１、ストップボタン１４２及び精算ボタン１４５が前面に設けられ、ＢＥＴボタン１４３及び切替ボタン１４４が上面に設けられている。レバー１４１は、操作部１４の左側に配設され、前記各リールの回転を一斉に開始させる（図柄組み合わせゲームにおける可変表示を開始させる）ために操作される始動操作手段を構成する。
【００３５】
レバー１４１の右側には、回転中の前記各リールを個別に停止させるためのストップボタン１４２，１４２，１４２が設けられている。各ストップボタン１４２，１４２，１４２は、停止対象となるリールに対応するように配設されている。ストップボタン１４２，１４２，１４２は、可変表示を停止させる停止手段、及び可変表示を停止させるべく操作される停止操作手段を構成する。なお、本実施形態では、ストップボタン１４２、１４２，１４２が押圧操作されないまま所定時間経過すると、前記リールが停止させられるよう構成されている。
【００３６】
また、レバー１４１の上方には、遊技球を投入するための入力手段を構成するＢＥＴボタン１４３が設けられている。このＢＥＴボタン１４３は、遊技媒体（又は記憶遊技媒体）である遊技球を必要数分だけ投入するためのものである。
【００３７】
さらに、切替ボタン１４４は、既に取り込まれ、貯留記憶された状態となっている遊技球や、所定条件成立の結果、遊技者に払い出される遊技球の取扱形式を変更するために操作される。この取扱形式の変更とは、例えば、払い出される遊技球の取扱を現実の遊技球として後述する下皿１６から排出させるのか、又は仮想遊技球として遊技機の制御装置に貯留記憶させるのかを変更することを意味する。
【００３８】
一方、精算ボタン１４５は、球受け皿１５に貯留されている遊技球を下皿１６に排出するためのものである。すなわち、遊技者が遊技を終了して球受け皿１５に貯留されている遊技球を取り出そうとした場合に、当該精算ボタン１４５が押圧操作されることで、球受け皿１５内の遊技球が下皿１６に排出される。これに加え、精算ボタン１４５は、ＢＥＴボタン１４３の押圧操作により一旦取り込まれた遊技球や、前述した貯留記憶された遊技球を払い出す機能をも具備する。
【００３９】
（球受け皿の構成）
球受け皿１５は、前枠部１１の左右方向の略全長に亘って前方に矩形状に膨出して形成されたカバー部材１５０と、このカバー部材１５０に内蔵されて、遊技球を貯留するための皿部及び後板部材（共に図示せず）を有してなる球受け皿ユニット３０（図２及び図３参照）とから構成される。
【００４０】
（前枠部の裏側の構成）
図２及び図３は、前枠部１１の裏側の構成を示す背面図であり、図２は球取込装置５０を配設していない状態を示し、図３は球取込装置５０を配設した状態を示している。図２及び図３に示すように、前枠部１１の裏側（背面）には、前枠部１１の幅方向の両側縁部に沿って金属製の補強部材（第１の補強部材２１，第２の補強部材２２）が設置され、それら第１の補強部材２１及び第２の補強部材２２にステー４０が架設されている。このステー４０は、球受け皿ユニット３０を後方から支持している。ここで、第１の補強部材２１及び第２の補強部材２２は、球受け皿１５（カバー部材１５０）に衝撃が加わった際、架設されるステー４０に対する衝撃力を分散させる目的で設けられるものである。
【００４１】
（窓部の構成）
図１に示すように、窓部１７は、操作部１４と下皿１６との間に配設された透明のプラスチック板等よりなるものである。そして、図２に示すように、この窓部１７を含んで後方にシール貼着部材取付部１００が設けられている。
【００４２】
このシール貼着部材取付部１００は、シールを貼着したシール貼着部材２００（図４参照）を収納する鞘形状をなし、かつそのシール貼着部材２００に貼着されたシールを、窓部１７を介して遊技機１の全面から視認できるように構成されたものである。
【００４３】
また、前枠部１１の背面には、球受け皿ユニット３０から流下された遊技球を取り込むために配設される球取込装置５０（図３参照）を収納するための溝形状をなす配設領域Ｓが形成されている。
【００４４】
本実施形態では、シール貼着部材取付部１００の少なくとも一部が配設領域Ｓと重畳するように配設される。この配設位置は、当該配設領域Ｓに球取込装置５０が収納・配設された際に、シール貼着部材取付部１００がその後方（特に、シール貼着部材２００を挿抜するためにシール貼着部材取付部１００に形成された開口部１００ａ）を球取込装置５０によって覆われる（図３参照）を目的として設定したものである。
【００４５】
また、配設領域Ｓには、球取込装置５０に設けられた固定手段５０ａ（図３参照）と係合し、この固定手段５０ａに対して位置決めされた係合孔５１に形成されている。
【００４６】
なお、配設領域Ｓの画成位置（球取込装置５０の設置位置）は、球取込装置５０の設置が、球受け皿ユニット３０を後方から保持するステー４０の設置に干渉しないように設定される。
【００４７】
（球取込装置について）
球取込装置５０は、遊技者による遊技球の投入操作に基づき、遊技球が所定個数ずつ取り込まれる装置である。そして、所定個分の遊技球が取り込まれる毎にその都度の遊技（ゲーム）の開始条件が成立し、遊技開始の準備が整えられるようになっている。このとき、遊技球は、所定個数ずつ取り込まれた後、遊技機１の外部（図示しない排出通路）に排出される。
【００４８】
投球操作が行われた場合、球取込装置５０が作動し、これにより球受け皿ユニット３０の皿部（図示せず）にある遊技球が所定個数ずつ取り込まれる。また、遊戯中の所定条件が成立した場合には、前記払出装置（図示せず）が作動し、これによりタンク（図示せず）に貯留されている遊技球が前記皿部に払い出される。
【００４９】
本実施の形態における実際の遊技球の取込は、前述の通り球取込装置５０によって行われる。なお、球取込装置５０よりも上流側の取込通路（図示せず）には、１個１個の遊技球の存在の有無を検出可能なフォトセンサよりなる取込検出センサ（図示せず）が複数個配設されている。当該検出センサの存在によって、１ＢＥＴ分（５個）、２ＢＥＴ分（１０個）或いは最大ＢＥＴ分（１５個）などと設定された遊技球を１度に取込可能か否かを検出できるようになっている。
【００５０】
配設領域Ｓに収納された球取込装置５０には、前述した係合孔５１に対応する位置に固定手段５０ａが設けられている。この固定手段５０ａには、指先操作によって球取込装置５０自体が配設領域Ｓに脱着可能な回転クリップが採用される。なお、この固定手段５０ａやつまみ付きネジなどのように、指先操作によって複数の部材を脱着可能とするものとしては、つまみ付きネジや回転クリップの他に、ナイラッチや旋回式レバーなどが採用される。
【００５１】
以上の構成よりなる遊技機１に設けられるシール貼着部材取付部の構成について、図面を参照して以下に説明する。図４は、本実施形態におけるシール貼着部材取付部及びシール貼着部材の構成を示す斜視図であり、図４（ａ）は、シール貼着部材の構成を示す前方斜視図、図４（ｂ）は、シール貼着部材の構成を示す後方斜視図、図４（ｃ）は、シール貼着部材取付部の構成を示す前方分解斜視図、図４（ｄ）は、シール貼着取付部にシール貼着材を収納したときの構成を示す前方斜視図である。
【００５２】
図４（ａ）に示すように、本実施形態のシール貼着部材２００は、平板形状をなし、シール３００を貼着するための基部２０１と、平板形状をなし、作業者が当該シール貼着部材２００を把持するための把持部２０２とがＬ字状に連結されてなる。ここで、シール貼着部材２００におけるシール３００が貼着された側の面は、把持部２０２が突出した方向と反対側の面に設置される。また、基部２０１の高さ方向（把持部２０２が連結された端辺から下端部２０１ａ方向）の長さは、後壁部１０２の上下方向の寸法以上で、窓部１７の上下方向の寸法以下であることが望ましい。
【００５３】
また、シール貼着部材２００の基部２０１の裏側（シール３００が添着された面と反対側の面）には、図４（ｂ）に示すように、凹部２０１ｂが形成されており、この凹部２０１ｂは基部２０１が撓みやすくなるように形成されている。
【００５４】
一方、図４（ｃ）に示すように、本実施形態のシール貼着部材取付部１００は、前枠部１１に設置された窓部１７と、窓部１７とほぼ同じ外形寸法の枠形状をなす枠部（底面部１０１ａ、上壁部１０１ｂ、側壁部１０１ｃ）及び、平板形状をなし、側壁部１０１ｃに亘って上壁部１０１ｂ側に開口部１００ａを形成する外形寸法の後壁部１０２とから構成され、枠部１０１がその前後から窓部１７と後壁部１０２とに挟まれて、後方に開口部１００ａが形成された鞘形状をなす。なお、枠部１０１及び後壁部１０２によって壁部が構成される。
【００５５】
すなわち、シール貼着部材取付部１００は、少なくとも窓部１７と枠部１０１と後壁部１０２とから構成され、枠部１０１に形成された貫通孔の一方は、窓部１７によって塞がれ、他方は一部が後壁部１０２によって塞がれた態様となっている。そして、前記他方の貫通孔の塞がれていない部分が開口部１００ａを構成する。
【００５６】
従って、この窓部１７及び壁部１０３によって形成された空間が、シール貼着部材２００を収納するための空間であり、シール貼着部材２００の基部２０１は、開口部１００ａから挿抜されることになる。
【００５７】
また、後壁部１０２の窓部１７に対向する面側には、シール貼着部材２００の前記空間への進入を促すと共に、前記空間内に収納されたシール貼着部材２００を保持するためのガイド部１０４が形成されている。このガイド部１０４は、側面形状が三角形をなし、開口部１００ａ側から見て窓部１７と後壁部１０２との間隔が狭くなっていくように傾斜させた切片群が等間隔で左右方向に並設されることによって構成されている。
【００５８】
さらに、図４（ｄ）に示すように、シール貼着部材２００がシール貼着部材取付部１００に収納されたときには、基部２０１に貼着されたシール３００が窓部１７を透過して視認できるようになっている。
【００５９】
次に、シール貼着部材取付部にシール貼着部材を収納する動作について、図面を参照して以下に説明する。図５（ａ）〜（ｄ）は、本実施形態におけるシール貼着部材取付部にシール貼着部材を収納する動作を示す断面図である。なお、本図（ａ）〜（ｄ）は、図４（ｄ）におけるＡ−Ａ断面図を示している。
【００６０】
図５（ａ）に示すように、シール貼着部材取付部１００は、遊技機１の前枠部１１の前面に設けられた窓部１７と、その窓部１７の後方に対向して設置された後壁部１０２と、その後壁部１０２と共に後方に開口する開口部１００ａを形成する上壁部１０１ｂと、窓部１７と後壁部１０２とを連結する底面部１０１ａ及び側壁部１０１ｃ（図４参照）とによって鞘形状に構成されている。なお、本実施形態では、上壁部１０１ｂの断面がテーパ形状をなくしている。なお、このテーパ形状は、上壁部１０１ｂに設けられるだけでなく、後壁部１０２の前面側に形成されてもよい。このテーパ形状は、ガイド部１０４の傾斜に合わせて形成されることが望ましい。
【００６１】
ここで、窓部１７、後壁部１０２、上壁部１０１ｂ、底面部１０１ａ及び側壁部１０１ｃによって囲まれた空間内にシール貼着部材２００を挿抜するための開口部１００ａを設けたことにより、この構造を「鞘部」と称することができる。
【００６２】
シール貼着部材２００を、シール貼着部材取付部１００に収納するときには、まず、遊技機１の後方側に向けた把持部２０２を作業者が持った状態で、基部２０１の下端部２０１ａを開口部１００ａに挿入する。このとき、上壁部１０１ｂの断面がテーパ形状とされていることにより、シール貼着部材２００の下端部２０１ａをスムーズにシール貼着部材取付部１００内に進入させることができる。また、開口部１００ａ付近における窓部１７と後壁部１０２との間隔ｄ１は、シール貼着部材２００の基部２０１の厚さよりも十分に大きく設定されている。
【００６３】
次に、図５（ｂ）に示すように、基部２０１の下端部２０１ａを開口部１００ａに進入させた基部２０１は、その下端部２０１ａが底面部１０１ａに到達するまで、ガイド部１０４及び窓部１７に沿ってスライド移動させられる。このとき、シール貼着部材２００の収納方向は、開口部１００ａから見て下方であるのに対して、開口部１００ａは後方に形成されているので、シール貼着部材２００は、凹部２０１ｂが形成された面側に湾曲させてガイド部１０４及び窓部１７に沿ってスライド移動させられる。
【００６４】
また、前述したように、ガイド部１０４は、底面部１０１ａに向けて窓部１７との間隔がｄ２（ｄ１＞ｄ２）まで狭くなるように傾斜させた断面形状をなして後壁部１０２（の前方）に設けられるので、シール貼着部材取付部１００内に進入したシート貼着部材２００は、ガイド部１０４に形成された傾斜によって当該ガイド部１０４（後壁部１０２）と窓部１７との間に挟持されることとなる。
【００６５】
そして、ガイド部１０４及び窓部１７に沿ってスライド移動させられたシール貼着部材２００は、図５（ｃ）に示すように、シール貼着部材２００の下端部２０１ａが底面部１０１ａに当接することによって位置決めされ、窓部１７とガイド部１０４とに挟持された状態でシール貼着部材取付部１００の内部に収納される。このとき、基部２０１において窓部１７に対向する面に貼付されたシール３００は、窓部１７を介して遊技機１（前枠部１１）の前方から視認可能となる。
【００６６】
次に、シール貼着部材取付部からシール貼着部材を取り出す動作について、図面を参照して以下に説明する。図６（ａ）〜（ｄ）は、本実施形態におけるシール貼着部材取付部からシール貼着部材を取り出す動作を示す断面図である。なお、本図（ａ）〜（ｄ）も、図４（ｄ）におけるＡ−Ａ断面図を示している。
【００６７】
シール貼着部材取付部１００からシール貼着部材２００を取り出す場合には、図６（ａ）に示すように、まず、下端部２０１ａが底面部１０１ａに当接することによって位置決めされたシール貼着部材２００の把持部２０２を作業者が掴んで、窓部１７とガイド部１０４とに挟持されたシール貼着部材２００を後方に撓ませながら開口部１００ａの方向に引っ張る（図６（ｂ）参照）。
【００６８】
このときも、窓部１７及びガイド部１０４（上壁部１０１ｂに形成されたガイド部１０４も含む）に沿って開口部１００ａ方向にシール貼着部材２００をスライドさせることとなり、このスライド動作を行うことによって、図６（ｃ）に示すように、シール貼着部材取付部１００からシール貼着部材２００を取り出すことができる。
【００６９】
本実施形態では、開口部１００ａの形成位置を、窓部１７に対向する位置に設けている。これは、例えば、上壁部１０１ｂを設けずに、その間隙を開口部１００ａとした場合（開口部１００ａが上方に開口するように構成された場合）、シール貼着部材２００を挿抜するスペースを前枠部１１の上方向に確保しなければならず、通常の遊技機ではこのようなスペースの確保が困難だからである（特許文献１に開示された構成（遊技機の背面からシール貼着部材を係合設置する構成）も同様の理由による）。
【００７０】
また、本実施形態において開口部１００ａが後方に開口するように設定したのは、シール貼着部材２００を挿抜するための開口部１００ａを球取込装置５０が塞ぐように配設領域Ｓに配設されることで、シール貼着部材取付部及びシール貼着部材を保護することができる利点があるからである。
【００７１】
従って、本実施形態では、底面部１０１ａに下端部２０１ａが位置決めされる収納方向（下方向）と開口部１００ａの開口方向が一致していないが、基部２０１を撓ませるなどして解消していることが特徴である。なお、このようなスペースの確保に制限されなければ、開口部１００ａは上壁部１０１ｂや、側壁部１０１ｃの形成位置に設けられてもよい。
【００７２】
また、本実施形態では、後壁部１０２に設置されたガイド部１０４の構成を、側方形状が三角形をなし、シール貼着部材２００がシール貼着部材取付部１００に収納されるに従って窓部１７と共に挟持されていく傾斜を有する切片群としたが、これに限られるものではなく、後壁部１０２自体が前方（シール貼着部材取付部１００内部）に傾斜していてもよい。収納されたシール貼着部材２００を挟持する構成をなしていればよく、また、この後壁部１０２も、ガイド部１０４としての機能を備えていれば、枠部１０１を構成する側壁部１０１ｃ，１０１ｃに架設された形態をなさず、分断されてもよい。
【００７３】
以上説明したように、本実施形態によれば、証紙などのシールを貼着するためのシール貼着部材を機前面から視認可能に取り付けるシール貼着部材取付部の構造を、鞘形状にしたので、シール貼着部材の収納及び取り外しの際の作業を簡素化し、その作業効率に向上させると共に、前記貼着部材の取り外しにかかる安全性をも向上させることができる。
【００７４】
特に、球取込装置５０も指先操作によって着脱自在としたので、球取込装置５０を配設領域Ｓから容易に取り外すことができ、配設領域Ｓに連通して設けられたシール貼着部材取付部１００へのシール貼着部材２００の収納及び取り出しを容易にすることができる。
【００７５】
（他の実施例）
次に、本発明に係る遊技機の他の実施形態におけるシール貼着部材取付部の構成について、図面を参照して以下に説明する。図７は、本実施形態におけるシール貼着部材取付部及びシール貼着部材の構成を示す斜視図であり、図７（ａ）は、シール貼着部材の構成を示す前方斜視図、図７（ｂ）は、シール貼着部材の構成を示す後方斜視図、図７（ｃ）は、シール貼着部材取付部の構成を示す前方分解斜視図、図７（ｄ）は、シール貼着部材取付部にシール貼着部材を収納したときの構成を示す前方斜視図である。
【００７６】
図７（ａ）に示すように、本実施形態のシール貼着部材２００は、平板形状をなし、シール３００を貼着するための基部２０１と、平板形状をなし、作業者が当該シール貼着部材２００を把持するための把持部２０２とがＬ字状に連結されてなる。ここで、本実施形態において、シール貼着部材２００におけるシール３００が貼着された側の面は、前述の実施形態とは異なり、把持部２０２が突出した方向と同じ側の面に設定される。また、本実施形態においても、前述の実施形態と同様に、基部２０１の高さ方向（把持部２０２が連結された端辺から下端部２０１ａ方向）の長さは、後壁部１０２の上下方向の寸法以上で、窓部１７の上下方向の寸法以下であることが望ましい。
【００７７】
また、シール貼着部材２００の基部２０１の裏側（シール３００が貼着された面と反対側の面）には、図７（ｂ）に示すように、凹部２０１ｂが形成されており、この凹部２０１ｂは基部２０１が撓みやすくなるように形成されている。
【００７８】
一方、図７（ｃ）に示すように、本実施形態のシール貼着部材取付部１００は、前枠部１１に設置された窓部１７と、窓部１７よりも大きな外形寸法の枠形状をなす枠部１０１（底面部１０１ａ、上壁部１０１ｂ、側壁部１０１ｃ）及び、平板形状をなし、枠部１０１とほぼ同じ外形寸法をなして枠部１０１を塞ぐ後壁部１０２とから構成され、枠部１０１がその前方から窓部１７と後壁部１０２とに挟まれて、前方に開口部１００ａが形成された鞘形状をなす。なお、枠部１０１及び後壁部１０２によって壁部１０３が構成される。
【００７９】
すなわち、シール貼着部材取付部１００は、少なくとも窓部１７と枠部１０１と後壁部１０２とから構成され、枠部１０１に形成された貫通孔の一方は、後壁部１０２によって塞がれ、他方は一部が窓部１７によって塞がれた態様となっている。そして、前記他方の貫通孔の塞がれていない部分が開口部１００ａを構成する。つまり、本実施形態では、窓部１７が、シール３００の視認機能のみならず、開口部１００ａの形成にも機能している。
【００８０】
従って、この窓部１７及び壁部１０３によって形成された空間が、シール貼着部材２００を収納するための空間であり、シール貼着部材２００の基部２０１は、開口部１００ａの形成にも機能している。
【００８１】
また、図示はしないが、窓部１７において後壁部１０２に対向する面側には、シール貼着部材２００の前記空間への進入を促すと共に、前記空間内に収納されたシール貼着部材２００を保持するためのガイド部１０４が形成されている。このガイド部１０４は、側面形状が三角形をなし、開口部１００ａ側から見て窓部１７と後壁部１０２との間隔が狭くなっていくように傾斜させた切片群が等間隔で左右方向に並設されることによって構成されている。
【００８２】
さらに、図４（ｄ）に示すように、シール貼着部材２００がシール貼着部材取付部１００に収納されたときには、基部２０１に貼着されたシール３００が窓部１７を透過して視認できるようになっている。
【００８３】
次に、本発明に係る遊技機の他の実施形態において、シール貼着部材取付部にシール貼着部材を収納する動作について、図面を参照して以下に説明する。図８（ａ）〜（ｄ）は、本実施形態におけるシール貼着部財取付部にシール貼着部材を収納する動作を示す断面図である。なお、本図（ａ）〜（ｄ）は、図７（ｄ）におけるＢ−Ｂ断面図を示している。
【００８４】
図８（ａ）に示すように、シール貼着部材取付部１００は、遊技機１の前枠部１１の前面に設けられた窓部１７と、その窓部１７と共に前方に開口する開口部１００ａを形成する上壁部１０１ｂと、窓部１７の後方に対向して設置された後壁部１０２と、窓部１７と後壁部１０２とを連結する底面部１０１ａ及び側壁部１０１ａ（図７参照）とによって鞘形状に構成されている。なお、本実施形態では、上壁部１０１ｂの断面がテーパ形状をなしている。なお、このテーパ形状は、上壁部１０１ｂに設けられるだけでなく、後壁部１０２の前面側に形成されてもよい。このテーパ形状は、ガイド部１０４の傾斜に合わせて形成されることが望ましい。
【００８５】
シール貼着部材２００を、シール貼着部材取付部１００に収納するときには、まず、遊技機１の前方側に向けた把持部２０２を作業者が持った状態で、基部２０１の下端部２０１ａを開口部１００ａに挿入する。このとき、上壁部１０１ｂの断面がテーパ形状とされていることにより、シール貼着部材２００の下端部２０１ａをスムーズにシール貼着部材取付部１００内に進入させることができる。また、開口部１００ａ付近における窓部１７と後壁部１０２との間隔ｄ１は、シール貼着部材２００の基部２０１の厚さよりも十分に大きく設定されている。
【００８６】
次に、図８（ｂ）に示すように、基部２０１の下端部２０１ａを開口部１００ａに進入させた基部２０１は、その下端部２０１ａが底面部１０１ａに到達するまで、ガイド部１０４及び後壁部１０２に沿ってスライド移動させられる。このとき、シール貼着部材２００の収納方向は、開口部１００ａから見て下方であるのに対して、開口部１００ａは前方に形成されているので、シール貼着部材２００は、凹部２０１ｂが形成された面側に湾曲させてガイド部１０４及び後壁部１０２に沿ってスライド移動させられる。
【００８７】
また、前述したように、ガイド部１０４は、底面部１０１ａに向けて窓部１７との間隔がｄ２（ｄ１＞ｄ２）まで狭くなるように傾斜させた断面形状をなして後壁部１０２（の前方）に設けられるので、シール貼着部材取付部１００内に進入したシート貼着部材２００は、ガイド部１０４に形成された傾斜によって当該ガイド部１０４（窓部１７）と後壁部１０２との間に挟持されることとなる。
【００８８】
そして、ガイド部１０４及び後壁部１０２に沿ってスライド移動させられたシール貼着部材２００は、図８（ｃ）に示すように、シール貼着部材２００の下端部２０１ａが底面部１０１ａに当接することによって位置決めされ、後壁部１０２とガイド部１０４とに挟持された状態でシール貼着部材取付部１００の内部に収納される。このとき、基部２０１において窓部１７に対向する面に貼付されたシール３００は、窓部１７を介して遊技機１（前枠部１１）の前方から視認可能となる。
【００８９】
次に、シール貼着部材取付部からシール貼着部材を取り出す動作について、図面を参照して以下に説明する。図９（ａ）〜（ｄ）は、本実施形態におけるシール貼着部材取付部からシール貼着部材を取り出す動作を示す断面図である。なお、本図（ａ）〜（ｄ）も、図７（ｄ）におけるＢ−Ｂ断面図を示している。
【００９０】
シール貼着部材取付部１００からシール貼着部材２００を取り出す場合には、図９（ａ）に示すように、まず、下端部２０１ａが底面部１０１ａに当接することによって位置決めされたシール貼着部材２００の把持部２０２を作業者が掴んで、後壁部１０２とガイド部１０４とに挟持されたシール貼着部材２００を前方に撓ませながら開口部１００ａの方向に引っ張る（図９（ｂ）参照）。
【００９１】
このときも、後壁部１０２及びガイド部１０４（上壁部１０１ｂに形成されたガイド部１０４も含む）に沿って開口部１００ａ方向にシール貼着部材２００をスライドさせることとなり、このスライド動作を行うことによって、図９（ｃ）に示すように、シール貼着部材取付部１００からシール貼着部材２００を取り出すことができる。
【００９２】
本実施形態では、前述の実施形態と異なり、前枠部１１の背面側からシール貼着部材２０の挿抜を行いにくい遊技機として、パチンコ機に用いることが有用である。この場合、シール貼着部材取付部１００を中枠に設け、その中枠に対して開閉可能なガラス製の前扉を開けて前方からシール貼着部材取付部１００へシール貼着部材２００を収納したり、シール貼着部材取付部１００からシール貼着部材２００を取り出したりすることができる。
【００９３】
従って、本実施形態のシール貼着部材取付部１００を遊技機としてのパチンコ機の中枠に設けた場合、シール貼着部材２００に貼着されたシール３００は、窓部１７及び前記ガラス製の前扉を介して前方から視認可能となるのである。
【００９４】
次に、上記実施形態から把握できる技術的思想について以下に追記する。
【００９５】
（イ）  板形状をなし、遊技機に関する所定内容が記載されたシールを貼着するシール貼着部材と、該シール貼着部材を着脱可能に取り付けるためのシール貼着部材取付部とを備えた遊技機であって、前記シール貼着部材取付部は、前記シール貼着部材を挿抜するための開口部を備えると共に前記シール貼着部材を収納する空間を有する鞘部と、該鞘部に収納されたシール貼着部材に貼着されたシールを機前面側から視認するための窓部と、を有することを特徴とする。
（ロ）  前記ガイド部材は、前記開口部の断面形状をテーパ形状にして構成されたことを特徴とする請求項５に記載の遊技機。
（ハ）  前記シール貼着部材の断面形状は、前記把持部が設けられた側に凹形状をなしていることを特徴とする請求項６に記載の遊技機。
（ニ）  前記シール貼着部材取付部の後方には、遊技球取込装置が着脱自在に配設されることを特徴とする請求項１〜３の何れかに記載の遊技機。
（ホ）  前記窓部が前記開口部の少なくとも一部を構成することを特徴とする請求項１〜３の何れかに記載の遊技機。
【図面の簡単な説明】
【００９６】
【図１】本発明に係る遊技機の一実施形態における構成を示す正面図。
【図２】本発明に係る遊技機の一実施形態における前枠部の後方側の構成を示す背面図。
【図３】本発明に係る遊技機の一実施形態における前枠部の後方側の構成を示す背面図。
【図４】本発明に係る遊技機の一実施形態におけるシール貼着部材取付部及びシール貼着部材の構成を示す斜視図。
【図５】本発明に係る遊技機の一実施形態においてシール貼着部材取付部にシール貼着部材を収納する動作を示す断面図。
【図６】本発明に係る遊技機の一実施形態においてシール貼着部材取付部からシール貼着部材を取り出す動作を示す断面図。
【図７】本発明に係る遊技機の他の実施形態におけるシール貼着部材取付部及びシール貼着部材の構成を示す斜視図。
【図８】本発明に係る遊技機の他の実施形態においてシール貼着部材取付部にシール貼着部材を収納する動作を示す断面図。
【図９】本発明に係る遊技機の他の実施形態においてシール貼着部材取付部からシール貼着部材を取り出す動作を示す断面図。
【符号の説明】
【００９７】
１  遊技機
１０  外枠
１１  前枠部
１２  ヒンジ部
１３  リール視認窓
１４  操作部
１４１  レバー
１４２  ストップボタン
１４３  ＢＥＴボタン
１４４  切替ボタン
１４５  精算ボタン
１５  球受け皿
１５０  カバー部材
１６  下皿
１７  窓部
２０  施錠部
２１  第１の補強部材
２２  第２の補強部材
３０  球受け皿ユニット
４０  ステー
５０  球取込装置
５０ａ  固定手段
５１  係合孔
１００  シール貼着部材取付部
１０１  枠部
１０１ａ  底面部
１０１ｂ  上壁部
１０１ｃ  側壁部
１０２  後壁部
１０３  壁部
１０４  ガイド部
２００  シール貼着部材
２０１  基部
２０１ａ  下端部
２０１ｂ  凹部
２０２  把持部
３００  シール
Ｓ  配設領域
【図１】
2007135917.tif 000003
【図２】
2007135917.tif 000004
【図３】
2007135917.tif 000005
【図４】
2007135917.tif 000006
【図５】
2007135917.tif 000007
【図６】
2007135917.tif 000008
【図７】
2007135917.tif 000009
【図８】
2007135917.tif 000010
【図９】
2007135917.tif 000011